(57)【要約】【課題】障子開閉時における音や振動が抑制できて良好な操作感を確保することができる建具を提供すること。【解決手段】上框１１および下框１２に設けた傾斜保持部１１Ｃ，１２Ｃで樹脂パネル１４の上下端縁を傾斜させて保持することで、湾曲した状態で保持される樹脂パネル１４の面外剛性が高まり、その変形や振動が発生しにくくできることから、障子１０の開閉時における樹脂パネル１４のばたつき等に伴う音鳴り等が防止でき、障子１０の開閉操作の操作感を向上させることができる。【選択図】図２
2010180585.tif 000002
【特許請求の範囲】
【請求項１】
枠体と、この枠体に開閉自在に支持される障子とを備えた建具であって、
前記障子は、上框、下框および左右の縦框と、これらの各框材に四周端縁が支持される面材とを有して構成され、
前記上框、下框および左右の縦框のうちの少なくともいずれか１つの框材には、当該框材と対向する他の框材に向かう方向から見込み方向に傾斜させて前記面材の端縁を保持する傾斜保持部が設けられ、当該１つの框材から他の框材に向かって湾曲した形状で前記面材が支持されている建具。
【請求項２】
前記傾斜保持部は、前記上框および下框に設けられるか、または前記左右の縦框に設けられている請求項１に記載の建具。
【請求項３】
前記傾斜保持部は、前記面材の端縁近傍における見込み方向の一方側面および他方側面にそれぞれ当接する第１当接部および第２当接部を有して構成され、
前記第１当接部と前記第２当接部とは、互いに見付け方向にずれた位置に設けられ、かつ当該第１当接部と第２当接部との見込み方向の間隔が前記面材の厚さ寸法よりも小さく形成されている請求項１または請求項２に記載の建具。
【請求項４】
前記第１当接部および第２当接部は、それぞれ前記面材に当接する突起を有して構成されるか、
または
前記第１当接部および前記第２当接部のうち、一方が前記面材に当接する突起を有して構成され、他方が前記面材に当接しかつ見込み方向に傾斜した傾斜面を有して構成されている請求項３に記載の建具。
【請求項５】
前記第１当接部および第２当接部は、それぞれ前記框材と一体に形成されるか、
または
前記第１当接部および前記第２当接部のうち、一方が前記框材と一体に形成され、他方が前記框材と別体かつ当該框材に着脱可能に構成されている請求項３または請求項４に記載の建具。
【発明の詳細な説明】
【技術分野】
【０００１】
本発明は、枠体に開閉自在に支持される障子を備えた建具に関する。
【背景技術】
【０００２】
従来、建具として、四周枠組みされた金属製の框と、この框に支持されるパネル体とを有する障子（ドア）を、ドア枠に開閉可能に支持した浴室出入り口用建具が知られている（例えば、特許文献１参照）。
特許文献１に記載された建具の障子では、合成樹脂製の樹脂板の四周に縁材を取り付けてパネル体が構成され、四周の縁材のうち、上縁材が上框に固定され、下縁材および縦縁材は、それぞれ下框および縦框に対して樹脂板の面内方向に移動可能かつ見込み方向に移動不能に係合されるようになっている。
【先行技術文献】
【特許文献】
【０００３】
【特許文献１】特開２００６−２４１７１１号公報
【発明の概要】
【発明が解決しようとする課題】
【０００４】
ところで、特許文献１に記載されたような従来の建具では、障子の面材が樹脂製の板材で構成されていることから、その板材の面外方向（見込み方向）の剛性が低く、面外方向への変形（撓み）や振動を抑制することが困難である。特に、従来の建具のように、上端縁以外の三辺を面内方向に移動可能に支持した場合には、端縁を拘束する保持力が弱くなって変形や振動が増大する傾向にある。このため、障子の開閉時に板材が撓んで枠体などに衝突したり摺接したりして衝突音や摺接音が発生する可能性や、板材自体の振動による音鳴りや框との摩擦音などの可能性があり、開閉操作する際の不快感の原因となってしまうという問題が生じる。
【０００５】
本発明の目的は、障子開閉時における音や振動が抑制できて良好な操作感を確保することができる建具を提供することにある。
【課題を解決するための手段】
【０００６】
本発明の建具は、枠体と、この枠体に開閉自在に支持される障子とを備えた建具であって、前記障子は、上框、下框および左右の縦框と、これらの各框材に四周端縁が支持される面材とを有して構成され、前記上框、下框および左右の縦框のうちの少なくともいずれか１つの框材には、当該框材と対向する他の框材に向かう方向から見込み方向に傾斜させて前記面材の端縁を保持する傾斜保持部が設けられ、当該１つの框材から他の框材に向かって湾曲した形状で前記面材が支持されていることを特徴とする。
【０００７】
このような本発明によれば、框材の傾斜保持部によって面材の端縁を見込み方向に傾斜させて保持し、通常状態において面材全体を湾曲させた状態で支持することで、素材自体の剛性が小さい樹脂製の面材を用いた場合でも、面材の面外剛性を高めることができる。従って、面材が面外方向に押されたり慣性力が作用したりしても、その変形や振動が発生しにくくできて撓みや振動が抑制されることから、障子の開閉時における面材のばたつき等に伴う音鳴り等が防止でき、建具における開閉操作の操作感を向上させることができる。
【０００８】
この際、本発明の建具では、前記傾斜保持部は、前記上框および下框に設けられるか、または前記左右の縦框に設けられていることが好ましい。
このような構成によれば、互いに対向する一対の框材である上框および下框か左右の縦框に傾斜保持部を設けることで、面材の全体に渡って見込み方向に効果的に湾曲させることができ、面材の面外剛性を確実に向上させることができる。この際、互いに対向する一対の框材の傾斜保持部において、面材を傾斜させる方向としては、見込み方向の同一方向でもよく逆方向でもよい。すなわち、同一方向に傾斜させれば、その方向に向かって面材全体を略円弧状に湾曲させることができ、逆方向に傾斜させれば、面材全体を略Ｓ字形に湾曲させることができる。
【０００９】
また、本発明の建具では、前記傾斜保持部は、前記面材の端縁近傍における見込み方向の一方側面および他方側面にそれぞれ当接する第１当接部および第２当接部を有して構成され、前記第１当接部と前記第２当接部とは、互いに見付け方向にずれた位置に設けられ、かつ当該第１当接部と第２当接部との見込み方向の間隔が前記面材の厚さ寸法よりも小さく形成されていることが好ましい。
このような構成によれば、第１当接部および第２当接部の見付け方向位置と間隔寸法とを適宜に設定するだけで、これらの当接部を当接させて保持した面材の端縁部を傾斜させることができるので、簡単な構造で傾斜保持部を構成するとともに、確実に面材を湾曲させかつ湾曲状態を維持することができる。
【００１０】
さらに、本発明の建具では、前記第１当接部および第２当接部は、それぞれ前記面材に当接する突起を有して構成されるか、または前記第１当接部および前記第２当接部のうち、一方が前記面材に当接する突起を有して構成され、他方が前記面材に当接しかつ見込み方向に傾斜した傾斜面を有して構成されていることが好ましい。
このような構成によれば、第１当接部および第２当接部に突起や傾斜面を設けることで、これらの突起や傾斜面の形状や突出寸法、傾斜角度を適宜に設定するだけで、面材の端部を所定の傾斜角度で傾斜させて面材全体の湾曲形状を設定することができる。
【００１１】
また、本発明の建具では、前記第１当接部および第２当接部は、それぞれ前記框材と一体に形成されるか、または前記第１当接部および前記第２当接部のうち、一方が前記框材と一体に形成され、他方が前記框材と別体かつ当該框材に着脱可能に構成されていることが好ましい。
このような構成によれば、第１当接部および第２当接部を框材と一体に形成すれば、傾斜保持部の構造をより一層簡単化することができる。また、第１当接部および第２当接部の一方を框材と一体に形成し、他方を框材と別体で着脱可能に構成すれば、別体で構成した当接部の形状やサイズ等を変更するだけで、面材の傾斜角度を調節することができ、障子のサイズに応じて面材全体の湾曲形状を適宜に変更することが可能となる。ここで、別体で構成される当接部としては、例えば、くさび形状を有して面材と框材との間に挿入され、框材に係合して取り付けられる押縁形式のものが採用可能である。
【発明の効果】
【００１２】
以上のような本発明の建具によれば、傾斜保持部によって面材の端部を見込み方向に傾斜させて保持して面材全体を湾曲させることで、面材の面外剛性を高めて変形や振動が発生しにくくできることから、障子の開閉時における音の発生を抑制して開閉操作感を向上させることができる。
【図面の簡単な説明】
【００１３】
【図１】本発明の第１実施形態に係る建具を示す正面図である。
【図２】前記建具を示す縦断面図である。
【図３】前記建具を示す横断面図である。
【図４】前記建具の要部を拡大して示す縦断面図である。
【図５】前記建具の変形例を示す縦断面図である。
【図６】図５とは異なる前記建具の変形例を示す縦断面図である。
【図７】図５、６とは異なる前記建具の変形例を示す縦断面図である。
【図８】図５〜７とは異なる前記建具の変形例を示す縦断面図である。
【図９】図５〜８とは異なる前記建具の変形例を示す縦断面図である。
【図１０】本発明の第２実施形態に係る建具を示す縦断面図である。
【図１１】前記建具を示す横断面図である。
【発明を実施するための形態】
【００１４】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１５】
〔第１実施形態〕
図１は、第１実施形態に係る建具であるドア１を示す正面図である。図２および図３は、それぞれドア１を示す縦断面図および横断面図である。図４は、ドア１の要部である障子１０の下框１２を拡大して示す縦断面図である。
図１〜図３において、ドア１は、浴室と脱衣室とを仕切る出入り口であって、上枠２、下枠３および左右の縦枠４を枠組みした枠体としての建具枠５と、この建具枠５に支持されて浴室側に開閉可能に設けられる障子１０とを備えて構成されている。障子１０は、上框１１、下框１２および左右の縦框１３と、これらを四周框組みした内部に支持される面材としての樹脂パネル１４とを有して構成されている。
【００１６】
障子１０の上框１１、下框１２および左右の縦框１３は、それぞれ中空断面を有したアルミ形材製であり、樹脂パネル１４は、半透明の合成樹脂製板材から構成されている。上框１１、下框１２および縦框１３は、中空状の框本体部１１Ａ，１２Ａ，１３Ａと、見付け方向内方に開口した凹溝部１１Ｂ，１２Ｂ，１３Ｂとを有して形成され、これらの凹溝部１１Ｂ，１２Ｂ，１３Ｂで樹脂パネル１４の四周端縁を保持するように構成されている。そして、上框１１および下框１２の凹溝部１１Ｂ，１２Ｂは、図２に示すように、框本体部１１Ａ，１２Ａにおける見付け方向外側の端部、つまり上框１１における上端部であり下框１２における下端部から浴室側に突出して形成されている。一方、縦框１３の凹溝部１３Ｂは、図３に示すように、框本体部１３Ａにおける見付け方向内側の見込み面１３Ｄよりも見付け方向外側に凹んで形成され、見込み面１３Ｄにおける浴室側の端部に位置して設けられている。
【００１７】
樹脂パネル１４は、その四周端縁が凹溝部１１Ｂ，１２Ｂ，１３Ｂに保持されることで、上框１１、下框１２および縦框１３に対して浴室側にオフセットした位置に支持され、障子１０の浴室側の側面が全体略フラットに形成されるようになっている。また、樹脂パネル１４は、その上下方向の中間部が見込み方向浴室側に膨らむように、その上下端縁が傾斜した状態で上框１１および下框１２に保持されることで、樹脂パネル１４が湾曲した形状で支持されるようになっている。つまり、上框１１および下框１２には、それぞれ樹脂パネル１４の上下端縁を傾斜させて保持する傾斜保持部１１Ｃ，１２Ｃが設けられている。以下、傾斜保持部１１Ｃ，１２Ｃについて図４〜図９も参照して詳しく説明するが、ここでは、下框１２の傾斜保持部１２Ｃに関して説明する。一方、上框１１の傾斜保持部１１Ｃは、下框１２の傾斜保持部１２Ｃと上下反転して設けられているものの略同様の構成を有しているため、その説明を省略する。
【００１８】
図４において、下框１２の傾斜保持部１２Ｃは、框本体部１２Ａの浴室側側面で構成される第１当接部１２１と、凹溝部１２Ｂの浴室側立上り片で構成される第２当接部１２２と、凹溝部１２Ｂの底面で構成される第３当接部１２３とを有して構成されている。第１当接部１２１は、凹溝部１２Ｂの立上り片先端に対向して浴室側に突出した第１突起１２４と、この第１突起１２４よりも上方に延びて浴室側に傾斜した第１傾斜面１２５とを有し、第１突起１２４および第１傾斜面１２５が樹脂パネル１４の脱衣室側側面に当接するようになっている。第２当接部１２２は、樹脂パネル１４の浴室側側面に当接するとともに第１突起１２４との間に樹脂パネル１４を挟持し、第３当接部１２３は、樹脂パネル１４の下端縁に当接することで樹脂パネル１４を上下方向に位置決めするようになっている。
【００１９】
このような傾斜保持部１２Ｃにおいて、第１傾斜面１２５の上端部と第２当接部１２２との見込み方向の間隔寸法Ｌ１は、樹脂パネル１４の厚さ寸法ｔよりも小さく形成されており、これにより、第２当接部１２２と第１突起１２４とで端縁部が挟持された樹脂パネル１４は、第１傾斜面１２５によって浴室側に付勢されて傾斜し、上下方向の中間部が見込み方向浴室側に湾曲する状態で支持されることとなる。このように樹脂パネル１４が湾曲した状態で保持されることで、樹脂パネル１４の面外剛性が高まり、その変形や振動が発生しにくくできることから、障子１０の開閉時における樹脂パネル１４のばたつき等に伴う音鳴り等が防止でき、障子１０の開閉操作の操作感を向上させることができる。
【００２０】
なお、傾斜保持部１２Ｃは、図４に示すものに限らず、以下の図５〜図９に示すような形態でもよい。
図５において、傾斜保持部１２Ｃの第１当接部１２１は、第１突起１２４と、前記第１傾斜面１２５に代えて框本体部１２Ａの上端部から浴室側に突出した第２突起１２６とを有し、第１および第２の突起１２４，１２６が樹脂パネル１４の脱衣室側側面に当接するようになっている。このような傾斜保持部１２Ｃにおいて、第２突起１２６と第２当接部１２２との見込み方向の間隔寸法Ｌ２は、樹脂パネル１４の厚さ寸法ｔよりも小さく形成されており、これにより、第２当接部１２２と第１突起１２４とで端縁部が挟持された樹脂パネル１４は、第２突起１２６によって浴室側に付勢されて傾斜し、上下方向の中間部が見込み方向浴室側に湾曲する状態で支持されることとなる。
【００２１】
図６において、下框１２の凹溝部１２Ｂは、框本体部１２Ａにおける見付け方向内側（上側）の見込み面１２Ｄに凹んで形成され、見込み面１２Ｄにおける浴室側の端部に位置して設けられている。傾斜保持部１２Ｃは、凹溝部１２Ｂの脱衣室側側面で構成される第１当接部１２１と、凹溝部１２Ｂの浴室側側面で構成される第２当接部１２２と、凹溝部１２Ｂの底面で構成される第３当接部１２３とを有して構成されている。第１当接部１２１は、浴室側に突出して樹脂パネル１４の脱衣室側側面に当接する第１突起１２４を有して構成され、第２当接部１２２は、見付け方向内側（上側）に向かって脱衣室側に傾斜し樹脂パネル１４の浴室側側面に当接する第２傾斜面１２７を有して構成されている。このような傾斜保持部１２Ｃにおいて、第１突起１２４と第２傾斜面１２７の上端部との見込み方向の間隔寸法Ｌ３は、樹脂パネル１４の厚さ寸法ｔよりも小さく形成されており、これにより、第１突起１２４と第２傾斜面１２７とで端縁部が挟持された樹脂パネル１４は、脱衣室側に付勢されて傾斜し、上下方向の中間部が見込み方向脱衣室側に湾曲する状態で支持されることとなる。
【００２２】
図７において、下框１２の凹溝部１２Ｂは、框本体部１２Ａにおける見込み面１２Ｄの見込み方向略中央に位置して設けられている。傾斜保持部１２Ｃは、図６のものと略同様の第１当接部１２１、第２当接部１２２および第３当接部１２３を有して構成され、第１当接部１２１は、第１突起１２４を有し、第２当接部１２２は、第２傾斜面１２７を有して構成されている。そして、第１突起１２４と第２傾斜面１２７の上端部との見込み方向の間隔寸法Ｌ３は、樹脂パネル１４の厚さ寸法ｔよりも小さく形成されており、これにより、第１突起１２４と第２傾斜面１２７とで端縁部が挟持された樹脂パネル１４は、脱衣室側に付勢されて傾斜し、上下方向の中間部が見込み方向脱衣室側に湾曲する状態で支持されることとなる。
【００２３】
図８において、下框１２の凹溝部１２Ｂおよび傾斜保持部１２Ｃは、框本体部１２Ａにおける見込み方向の浴室側と脱衣室側との両方に設けられ、樹脂パネル１４が一対（２枚）で支持されている。そして、一対の傾斜保持部１２Ｃは、図４のものと略同様の第１当接部１２１、第２当接部１２２および第３当接部１２３を有して構成され、第１当接部１２１は、第１突起１２４と第１傾斜面１２５とを有して構成されている。このような下框１２によれば、浴室側の樹脂パネル１４は、浴室側の傾斜保持部１２Ｃによって浴室側に付勢されて傾斜し、上下方向の中間部が見込み方向浴室側に湾曲する状態で支持されるとともに、脱衣室側の樹脂パネル１４は、脱衣室側の傾斜保持部１２Ｃによって脱衣室側に付勢されて傾斜し、上下方向の中間部が見込み方向脱衣室側に湾曲する状態で支持されることとなる。
【００２４】
図９において、下框１２の凹溝部１２Ｂおよび傾斜保持部１２Ｃは、框本体部１２Ａの見込み面１２Ｄにおける見込み方向の浴室側と脱衣室側との両方に設けられ、樹脂パネル１４が一対（２枚）で支持されている。そして、一対の傾斜保持部１２Ｃは、図６のものと略同様の第１当接部１２１、第２当接部１２２および第３当接部１２３を有して構成され、第１当接部１２１は、第１突起１２４を有し、第２当接部１２２は、第２傾斜面１２７を有して構成されている。このような下框１２によれば、浴室側の樹脂パネル１４は、浴室側の傾斜保持部１２Ｃによって脱衣室側に付勢されて傾斜し、上下方向の中間部が見込み方向脱衣室側に湾曲する状態で支持されるとともに、脱衣室側の樹脂パネル１４は、脱衣室側の傾斜保持部１２Ｃによって浴室側に付勢されて傾斜し、上下方向の中間部が見込み方向浴室側に湾曲する状態で支持されることとなる。
【００２５】
〔第２実施形態〕
図１０および図１１は、第２実施形態に係る建具であるドア１Ａを示す縦断面図および横断面図である。
本実施形態のドア１Ａでは、障子１０の上框１１、下框１２および縦框１３に設けられる凹溝部１１Ｂ，１２Ｂ，１３Ｂの形態、および傾斜保持部の構成が前記第１実施形態と相違するものの、その基本構成は、前記第１実施形態のドア１と略同様である。以下、相違点を詳しく説明する。
【００２６】
障子１０において、上框１１および下框１２の凹溝部１１Ｂ，１２Ｂは、図１０に示すように、框本体部１１Ａ，１２Ａにおける見付け方向内側の見込み面１１Ｄ，１２Ｄよりも見付け方向外側に凹んで形成され、見込み面１１Ｄ，１２Ｄにおける浴室側の端部に位置して設けられている。一方、縦框１３の凹溝部１３Ｂは、図１１に示すように、框本体部１３Ａにおける見付け方向外側（縦枠４側）寄りの位置に形成されている。そして、左右の縦框１３には、それぞれ樹脂パネル１４の側端縁を傾斜させて保持する傾斜保持部１３Ｃが設けられている。この傾斜保持部１３Ｃは、前記第１実施形態における図４で説明したものと略同様に形成されている。なお、縦框１３に形成される傾斜保持部１３Ｃとしては、図４のもの以外に、第１実施形態における図５〜図９で説明したものと略同様に形成されてもよい。
【００２７】
以上のような縦框１３に形成した傾斜保持部１３Ｃで樹脂パネル１４を保持することで、樹脂パネル１４は、その左右両端縁部が浴室側に付勢されて傾斜し、左右方向の中間部が見込み方向浴室側に膨らむように湾曲した状態で支持されることとなる。このように樹脂パネル１４が湾曲した状態で保持されることで、前記第１実施形態と同様に、樹脂パネル１４の面外剛性が高まり、その変形や振動が発生しにくくできることから、障子１０の開閉時における樹脂パネル１４のばたつき等に伴う音鳴り等が防止でき、障子１０の開閉操作の操作感を向上させることができる。
【００２８】
なお、本発明は前記実施形態の構成に限定されるものではない。
例えば、前記実施形態では、浴室出入り口用の建具としてのドア１を例示して説明したが、本発明の建具は、浴室出入り口用の建具に限らず、建物の窓や出入り口に用いられるものであってもよく、また可動間仕切りや家具の扉などであってもよい。また、前記実施形態では、浴室側に開閉可能な障子１０を有したドア１，１Ａについて説明したが、これに限らず、本発明の建具は、スライド開閉可能に設けられた１枚の障子を有した片引き形式の引き戸でもよく、また２枚以上の障子が開閉自在に支持された二枚建てや三枚建ての引き戸でもよい。
【００２９】
また、前記実施形態では、障子１０において、上框１１および下框１２の一対の框材にそれぞれ傾斜保持部１１Ｃ，１２Ｃが設けられるか、または左右一対の縦框１３にそれぞれ傾斜保持部１３Ｃが設けられる構成を説明したが、本発明において傾斜保持部は、四周の框材のうちの少なくともいずれか１つの框材に設けられていればよい。すなわち、本発明において、傾斜保持部は、面材を見込み方向に湾曲させるものであればよく、この傾斜保持部が設けられる框材は、上下左右の框材のいずれか１つでもまた複数でもよい。
さらに、前記実施形態では、傾斜保持部１１Ｃ，１２Ｃ，１３Ｃがそれぞれ上框１１、下框１２および縦框１３に一体に形成されていたが、これに限らず、框材と別体で構成した部材を框材に取り付けることで、面材の端縁を傾斜させるように傾斜保持部が構成されていてもよい。
【００３０】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００３１】
１，１Ａ…ドア（建具）、５…建具枠（枠体）、１０…障子、１１…上框、１２…下框、１３…縦框、１４…樹脂パネル（面材）、１１Ｃ，１２Ｃ，１３Ｃ…傾斜保持部、１２１…第１当接部、１２２…第２当接部、１２４…第１突起、１２５…第１傾斜面、１２６…第２突起、１２７…第２傾斜面。
【図１】
2010180585.tif 000003
【図２】
2010180585.tif 000004
【図３】
2010180585.tif 000005
【図４】
2010180585.tif 000006
【図５】
2010180585.tif 000007
【図６】
2010180585.tif 000008
【図７】
2010180585.tif 000009
【図８】
2010180585.tif 000010
【図９】
2010180585.tif 000011
【図１０】
2010180585.tif 000012
【図１１】
2010180585.tif 000013